(57)【特許請求の範囲】
【請求項１】
軸筒本体の後方側内部に、先端が開口している筒状の尾冠を装着し、この尾冠内部に後方側からカートリッジ取付部材を差し込んで組み立てるようにした構造からなり、前記カートリッジ取付部材の先端は各種ペンのカートリッジが着脱自在となっていて、このカートリッジ取付部材に装着されたカートリッジが前記尾冠の開口を通過して軸筒本体内へ差し込まれており、尾冠からカートリッジ取付部材の抜けを防止する抜け防止機能と、尾冠に対するカートリッジ取付部材の回転を防止する回転防止機能の双方を備えている筆記具であって、前記抜け防止機能は、カートリッジ取付部材の挿入筒部の外周に設けた第１係止突起と、この第１係止突起を尾冠の開口を通過するまで差し込んだ後、カートリッジ取付部材を軸筒本体の軸を中心として回転した場合に、前記第１係止突起が尾冠の開口部の周壁端部と係止することにより発揮されるものであり、一方、回転防止機能は、前記カートリッジ取付部材を回転した場合に、尾冠の後部内周に設けた凸部と、この凸部に対向する位置でカートリッジ取付部材の挿入筒部の外周に設けた第２係止突起との係止により発揮されるものであることを特徴とする筆記具。
【請求項２】
軸筒本体の後方側内部に、先端が開口している筒状の尾冠を装着し、この尾冠内部に後方側からカートリッジ取付部材を差し込んで組み立てるようにした構造からなり、前記カートリッジ取付部材の先端は各種ペンのカートリッジが着脱自在となっていて、このカートリッジ取付部材に装着されたカートリッジが前記尾冠の開口を通過して軸筒本体内へ差し込まれており、尾冠からカートリッジ取付部材の抜けを防止する抜け防止機能と、尾冠に対するカートリッジ取付部材の回転を防止する回転防止機能の双方を備えている筆記具であって、前記抜け防止機能および回転防止機能は、カートリッジ取付部材の挿入筒部の外周に設けた第４係止突起と、この第４係止突起を尾冠に差し込んだ後、カートリッジ取付部材を軸筒本体の軸を中心として回転した場合に、前記第４係止突起に対向する位置で尾冠の内周に設けた第２凹部との係止により発揮されるものであり、また、前記第２凹部の端に設けた凸条に向けて緩やかな傾斜面が形成されており、前記第４係止突起と凸条との係止の衝撃が緩和される構造となっていることを特徴とする筆記具。
【請求項３】
カートリッジ取付部材が、カートリッジと共にペン先側へ摺動自在に尾冠内部に取り付けられている請求項１または２に記載の筆記具。
【請求項４】
尾冠が軸筒本体に一体的に成形されている請求項１〜３のいずれかに記載の筆記具。
【発明の詳細な説明】
【技術分野】
【０００１】
本発明は、１種類の軸筒本体にシャープペンとボールペンのカートリッジのいずれも取り付けることができ、またフェルトペン等の場合には軸筒本体を兼用して用いることもできて部品の共通化を図ることができる筆記具に関するものである。
【背景技術】
【０００２】
従来から、シャープペン、ボールペン、フェルトペン、蛍光マーカーペン、サインペン等の種々の筆記具がある。これらの筆記具の構造として、軸筒本体の後端側内部に筒状の尾冠を装着し、この尾冠にクリップや芯だし用のノック部材等を取り付けるようにしたものが知られている（例えば、特許文献１や特許文献２を参照）。一方、軸筒本体の形状や色彩などのデザインを統一し、シャープペン及びボールペン及びフェルトペン等を一組のセット物として扱うようにした商品も開発されている。
【０００３】
前記セット商品においては、軸筒本体の外形状や色彩などのデザインが統一されているのが普通である。しかしながら、シャープペン、ボールペン、フェルトペン等のカートリッジの機能および構造はそれぞれ異なるため、各カートリッジ毎に専用の軸筒本体を準備する必要があった。その結果、部品点数が増加して管理が煩雑になるという問題や、生産コストが高くなるという問題があった。
【０００４】
そこで、１種類の軸筒本体のみでシャープペン、ボールペン、フェルトペン等のいずれのカートリッジにも兼用することができる全く新しいタイプの筆記具の開発が進められていた。
【先行技術文献】
【特許文献】
【０００５】
【特許文献１】特許第４８３４５０７号公報
【特許文献２】特開２００４−２３２７４２号公報
【発明の概要】
【発明が解決しようとする課題】
【０００６】
本発明は上記のような問題点を解決して、シャープペン、ボールペン、フェルトペン等のいずれにも軸筒本体を兼用して用いることが可能で部品管理を簡素化することができ、しかもシャープペン、ボールペンの場合は、カートリッジの交換作業を後端部側から容易に行うことができ、また生産コストも安価なものとすることができる筆記具造を提供することを目的とするものである。
【課題を解決するための手段】
【０００７】
上記課題を解決するためになされた本発明の筆記具は、軸筒本体の後方側内部に、先端が開口している筒状の尾冠を装着し、この尾冠内部に後方側からカートリッジ取付部材を差し込んで組み立てるようにした構造からなり、前記カートリッジ取付部材の先端は各種ペンのカートリッジが着脱自在となっていて、このカートリッジ取付部材に装着されたカートリッジが前記尾冠の開口を通過して軸筒本体内へ差し込まれており、尾冠からカートリッジ取付部材の抜けを防止する抜け防止機能と、尾冠に対するカートリッジ取付部材の回転を防止する回転防止機能の双方を備えている筆記具であって、前記抜け防止機能は、カートリッジ取付部材の挿入筒部の外周に設けた第１係止突起と、この第１係止突起を尾冠の開口を通過するまで差し込んだ後、カートリッジ取付部材を軸筒本体の軸を中心として回転した場合に、前記第１係止突起が尾冠の開口部の周壁端部と係止することにより発揮されるものであり、一方、回転防止機能は、前記カートリッジ取付部材を回転した場合に、尾冠の後部内周に設けた凸部と、この凸部に対向する位置でカートリッジ取付部材の挿入筒部の外周に設けた第２係止突起との係止により発揮されるものであることを特徴とするものである。
【０００８】
軸筒本体の後方側内部に、先端が開口している筒状の尾冠を装着し、この尾冠内部に後方側からカートリッジ取付部材を差し込んで組み立てるようにした構造からなり、前記カートリッジ取付部材の先端は各種ペンのカートリッジが着脱自在となっていて、このカートリッジ取付部材に装着されたカートリッジが前記尾冠の開口を通過して軸筒本体内へ差し込まれており、尾冠からカートリッジ取付部材の抜けを防止する抜け防止機能と、尾冠に対するカートリッジ取付部材の回転を防止する回転防止機能の双方を備えている筆記具であって、前記抜け防止機能および回転防止機能は、カートリッジ取付部材の挿入筒部の外周に設けた第４係止突起と、この第４係止突起を尾冠に差し込んだ後、カートリッジ取付部材を軸筒本体の軸を中心として回転した場合に、前記第４係止突起に対向する位置で尾冠の内周に設けた第２凹部との係止により発揮されるものであり、また、前記第２凹部の端に設けた凸条に向けて緩やかな傾斜面が形成されており、前記第４係止突起と凸条との係止の衝撃が緩和される構造となっていることを特徴とする筆記具を請求項２に係る発明とする。
【０００９】
前記カートリッジ取付部材が、カートリッジと共にペン先側へ摺動自在に尾冠内部に取り付けられているものとすることもでき、これを請求項３に係る発明とする。
【００１０】
【００１１】
【００１２】
前記尾冠が軸筒本体に一体的に成形されているものとすることもでき、これを請求項４に係る発明とする。
【発明の効果】
【００１３】
請求項１に係る発明では、軸筒本体の後方側内部に、先端が開口している筒状の尾冠を装着し、この尾冠内部に後方側からカートリッジ取付部材を差し込んで組み立てるようにした構造であり、前記カートリッジ取付部材の先端はシャープペン、及びボールペンのカートリッジが着脱自在となっていて、このカートリッジ取付部材に装着されたカートリッジが前記尾冠の開口を通過して軸筒本体内へ差し込まれているものとしたので、１種類の軸筒本体とカートリッジ取付部材に対して、シャープペン、及びボールペンのカートリッジ軸筒の取り付けが可能となり、部品の共通化を図ることができる。また、カートリッジの交換を後方側から簡単に行うことができる。
【００１４】
また、尾冠からカートリッジ取付部材の抜けを防止する抜け防止機能と、尾冠に対するカートリッジ取付部材の回転を防止する回転防止機能の双方を備えているものとしたので、組み立て後においてもカートリッジ取付部材はしっかりと固定された状態が維持され、筆記具として優れた使い勝手を発揮することができる。
【００１５】
また、抜け防止機能は、カートリッジ取付部材の挿入筒部の外周に設けた第１係止突起と、この第１係止突起を尾冠の開口を通過するまで差し込んだ後、カートリッジ取付部材を軸筒本体の軸を中心として回転した場合に、前記第１係止突起が尾冠の開口部の周壁端部と係止することにより発揮されるものであり、一方、回転防止機能は、前記カートリッジ取付部材を回転した場合に、尾冠の後部内周に設けた凸部と、この凸部に対向する位置でカートリッジ取付部材の挿入筒部の外周に設けた第２係止突起との係止により発揮されるものとしたので、軸筒本体とカートリッジ取付部材の組み立てを簡単に行うことができ、また、カートリッジ取付部材の抜け防止と回転防止を発揮することができる。
【００１６】
請求項２に係る発明では、抜け防止機能および回転防止機能は、カートリッジ取付部材の挿入筒部の外周に設けた第４係止突起と、この第４係止突起を尾冠に差し込んだ後、カートリッジ取付部材を軸筒本体の軸を中心として回転した場合に、前記第４係止突起に対向する位置で尾冠の内周に設けた第２凹部との係止により発揮されるものであり、また、前記第２凹部の端に設けた凸条に向けて緩やかな傾斜面が形成されており、前記第４係止突起と凸条との係止の衝撃が緩和される構造となっているので、軸筒本体とカートリッジ取付部材の組み立てを簡単に行うことができ、また、カートリッジ取付部材の抜け防止と回転防止を発揮することができる。
【００１７】
請求項３に係る発明では、カートリッジ取付部材が、カートリッジと共にペン先側へ摺動自在に尾冠内部に取り付けられているので、カートリッジとしてシャープペンも適用することができる。
【００１８】
請求項４に係る発明では、尾冠が軸筒本体に一体的に成形されているので、シンプルな構造で更に部品点数を少なくすることができる。
【図面の簡単な説明】
【００１９】
【図１】本発明の第１の実施形態を示す全体の正面断面図である。
【図２】尾冠を示す正面図である。
【図３】図２の縦断面図である。
【図４】図３におけるＡ−Ａ断面図である。
【図５】尾冠を示す斜視図である。
【図６】カートリッジ取付部材を示す正面図である。
【図７】図６の縦断面図である。
【図８】カートリッジ取付部材を示す斜視図である。
【図９】尾冠とカートリッジ取付部材を組み立てた状態を示す正面縦断面図である。
【図１０】図９におけるＢ−Ｂ断面図である。
【図１１】図９におけるＢ−Ｂ断面図である。
【図１２】参考形態の尾冠を示す斜視図である。
【図１３】参考形態のカートリッジ取付部材を示す斜視図である。
【図１４】参考形態の尾冠とカートリッジ取付部材を組み立てた状態を示す正面図である。
【図１５】参考形態の尾冠とカートリッジ取付部材を組み立てた状態を示す斜視図である。
【図１６】参考形態の尾冠とカートリッジ取付部材を組み立てた状態を示す斜視図である。
【図１７】第３の実施形態のカートリッジ取付部材を示す斜視図である。
【図１８】第３の実施形態の尾冠とカートリッジ取付部材を組み立てた状態を示す正面図である。
【図１９】図１８におけるＣ−Ｃ断面図である。
【図２０】図１８におけるＣ−Ｃ断面図である。
【図２１】その他のカートリッジ取付部材を示す正面図である。
【図２２】図２１の斜視図である。
【図２３】図２１のカートリッジ取付部材を用いた筆記具を示す正面図である。
【図２４】図２３の断面図である。
【発明を実施するための形態】
【００２０】
以下に、図面を参照しつつ本発明の好ましい実施の形態を示す。
図１は、本発明を示す正面断面図である。図において、１は合成樹脂や金属等からなる軸筒本体であり、図示のものでは軸方向に垂直な断面形状が三角形のものである。その他、断面形状が丸形状や楕円形状や四角形以上の多角形状等のいずれであってもよい。
図中、２は軸筒本体１の後方側内部に装着される合成樹脂の筒状の尾冠である。この尾冠２は、後端だけでなく先端も開口した筒形状であり、尾冠内部に後方側からカートリッジ取付部材３を差し込んで組み立てる構造となっている。１ａは、キャップである。
【００２１】
前記カートリッジ取付部材３の先端には筒状の嵌合保持部３ａが形成されており、この嵌合保持部３ａ内に各種ペンのカートリッジ４の後端部が自在に着脱できる構造となっている。そして、このカートリッジ取付部材３に装着されたカートリッジ４は、カートリッジ取付部材３とともに前記尾冠２の後方側から差し込まれ、軸筒本体１内に挿入される。この結果、カートリッジ４は尾冠２の開口を通過して軸筒本体１の前方側に向け差し込まれ、先端のペン先４ａが軸筒本体１の先端に露出した状態となる。
前記各種ペンとは、シャープペン、ボールペンの意味であり、シャープペンの場合は芯出し機構が必要なため、前記カートリッジ取付部材３にそれを組み込んだ構造とする必要がある。また、フェルトペン、蛍光マーカーペン、サインペン等の場合は軸筒本体１のみを兼用することができ、この場合は前記尾冠２を尾栓（図示せず）に替えて気密嵌合する構造となる。
【００２２】
また、本発明の筆記具では、尾冠２からカートリッジ取付部材３の抜けを防止する抜け防止機能と、尾冠２に対するカートリッジ取付部材３の回転を防止する回転防止機能の双方を備えている。これにより、前記カートリッジ取付部材３がしっかりと固定された状態を保持され、筆記具として優れた使い勝手を発揮する。なお、この抜け防止機能と回転防止機能の具体例については後述する。
【００２３】
このように構成した筆記具においては、カートリッジ取付部材３をシャープペン、ボールペンのいずれのカートリッジにも兼用して用いることが可能である。また、フェルトペン等の場合は軸筒本体１を兼用することができる。このため、軸筒本体１、尾冠２、カートリッジ取付部材３等の部品の共通化を図ることが可能となり、部品管理を簡素化することができる。
また、軸筒本体１のデザインが統一化されるため、シャープペン及びボールペン及びフェルトペン等を一組のセット物として販売することができ、しかもセット商品としての生産コストも安価なものとすることができる。
【００２４】
次に、前記抜け防止機能と回転防止機能について説明する。
図２〜図１１は、第１の実施形態を示す。更に、図２〜図５は尾冠２を示し、図６〜図８はカートリッジ取付部材３を示し、図９〜図１１は尾冠２とカートリッジ取付部材３を組み立てた状態をそれぞれ示している。
前記尾冠２は、軸筒本体１の断面形状が三角形であるため、それに対応して外形状が三角形となっている（図４を参照）。この尾冠２は、中心に円形の孔通路５が形成された筒状のものであり、後端だけでなく先端も開口している。２ａは開口部の周壁端部であり、この周壁端部２ａから３本のガイド用脚部２ｂが等間隔に延設されている。また、前記孔通路５には案内溝５ａが三角形状の頂点に対応して等間隔に形成されている。
【００２５】
前記カートリッジ取付部材３は、尾冠２の孔通路５に差し込み可能な円柱状のものであり、先端にカートリッジの嵌合保持部３ａが形成されている。また、挿入筒部の外周には３個の第１係止突起３ｂが等間隔に設けられている。
【００２６】
このように構成したものでは、図９に示すように、尾冠２にカートリッジ取付部材３を組み立てる場合、前記カートリッジ取付部材３の挿入筒部の外周に設けた第１係止突起３ｂは孔通路５の案内溝５ａに案内されてスムーズに先端側へ移動する。次いで、この第１係止突起３ｂを尾冠２の開口を通過するまで差し込んだ後は、カートリッジ取付部材３を軸筒本体１の軸を中心として回転すると、前記第１係止突起３ｂが前記案内溝５ａから離れて後端側段差部３ｃが尾冠２の開口部の周壁端部２ａと係止することになる。この結果、カートリッジ取付部材３の後方側への移動ができなくなり、抜け防止機能が発揮されることとなる。
ただし、尾冠２の先端が開口しているのでカートリッジ取付部材３のペン先側への移動は可能であり、シャープペンのカートリッジの場合は芯繰り出しのノック動作は正常に行うことができる。
【００２７】
一方、回転防止機能は、前記カートリッジ取付部材３を回転した場合に、尾冠２の後部内周に設けた凸部６ａと、この凸部６ａに対向する位置でカートリッジ取付部材３の挿入筒部の外周に設けた第２係止突起７との係止により発揮される。
図１０は図９におけるＢ−Ｂ断面図であるが、尾冠２の内周には第１凹部６が等間隔に３個設けられており、一方、カートリッジ取付部材３の挿入筒部の外周には第２係止突起７が等間隔に３個設けられている。また、６ａは第１凹部６の手前に設けられた凸部である。なお、図１０の状態は、カートリッジ取付部材３を尾冠２に差し込んだだけの状態であり、まだ回転防止機能は発揮されていない。
【００２８】
前記カートリッジ取付部材３を時計方向に回転すると、図１１に示すように、第２係止突起７が凸部６ａを乗り越えて両者が係止され、これにより前記カートリッジ取付部材３の回転防止機能が発揮されることとなる。なお、図示のものでは前記凸部６ａは第１凹部６に隣接して設けられているが、離れていてもよい。
一方、前記カートリッジ取付部材３を反時計方向に回転すれば、両者の係止関係を解除してカートリッジ取付部材３を尾冠２の外へ取り出すことができる。
なお、前記第２係止突起７と凸部６ａは、反時計方向の回転のみをロックする構造であって、時計方向へ更に回転した場合の停止位置を規制するものではない。停止位置の規制手段としては、例えば、第１凹部６の側壁としてもよいし、第１係止突起３ｂと突設する箇所を周壁端部２ａに隣接して設けてもよい。
【００２９】
図１２〜図１６は、参考形態を示す。
カートリッジ取付部材３の挿入筒部の外周には、第３係止突起８が等間隔に３個設けられている。この第３係止突起８は、前述した第１の実施形態の第１係止突起３ｂと同じであり、抜け防止機能は、カートリッジ取付部材３の挿入筒部の外周に設けた第３係止突起８と、この第３係止突起８を尾冠の開口を通過するまで差し込んだ後、カートリッジ取付部材３を軸筒本体１の軸を中心として回転した場合に、尾冠２の開口部の周壁端部との係止により発揮されるものである。
【００３０】
一方、回転防止機能は、前記軸筒本体１を回転した場合に、前記第３係止突起８の後端部と、前記周壁端部２ａに延設した突片部９との係止により発揮される。即ち、尾冠２の開口部の周壁端部２ａには突片部９が延設されており、軸筒本体１の回転により第３係止突起８の後端部が突片部９を乗り越えると、この第３係止突起８は脚部基部２ｃの側縁と突片部９との間に固定されることとなり、カートリッジ取付部材３の回転防止が図られることとなる。
【００３１】
図１７〜図２０は、第２の実施形態を示す。
第２の実施形態では、抜け防止機能および回転防止機能は、１組の係止突起と凹部の係止により発揮される構造である。
即ち、カートリッジ取付部材３の挿入筒部の外周には第４係止突起１０が等間隔に３個設けられており、一方、この第４係止突起１０に対向する位置で尾冠２の内周には第２凹部１１が等間隔に３個設けられている。また、この第２凹部１１の手前側には凸条１２が設けられている。
【００３２】
図１８は、カートリッジ取付部材３を尾冠２に差し込んだだけの状態であり、まだ抜け防止機能および回転防止機能は発揮されていない。
次いで、前記カートリッジ取付部材３を反時計方向に回転すると、図１９に示すように、第４係止突起１０が凸条１２を乗り越えて第２凹部１１内に入り込む。この第４係止突起１０と第２凹部１１とはぴったりと嵌合する関係にある。従って、前記第４係止突起１０は上方向と左右方向には動かないため、前記カートリッジ取付部材３の抜け防止機能および回転防止機能が発揮されることとなる。
一方、前記カートリッジ取付部材３を時計方向に回転すれば、両者の嵌合関係を解除してカートリッジ取付部材３を尾冠２の外へ取り出すことができる。
なお、第２の実施形態においても、尾冠２の先端が開口しているのでカートリッジ取付部材３のペン先側（下方向）への移動は可能であり、シャープペンのカートリッジの場合は芯繰り出しのノック動作は正常に行うことができる点は第１の実施形態と同様である。
【００３３】
また、前記第２凹部１１の端に設けた凸条１２に向けて緩やかな傾斜面１３が形成されており、前記第４係止突起１０と凸条１２との係止の衝撃が緩和される構造としておけば、突起１０の摩耗による損傷を防止することができ、長期間にわたって使用することができることとなる。
【００３４】
図２１〜図２４は、前記尾冠が軸筒本体に一体的に成形されている実施形態を示す。
ここまでは、別々に成形した軸筒本体１の内部に尾冠２が装着された構造について説明したが、尾冠が軸筒本体に一体的に成形されてた構造としてもよく、この場合は更に部品点数を少なくすることが可能となる。
【００３５】
以上の説明からも明らかなように、本発明はカートリッジ取付部材をシャープペン、ボールペンのいずれのカートリッジにも兼用して用いることが可能であり、また、フェルトペン等の場合は軸筒本体１を兼用することができるので、部品管理を簡素化することができる。また、各カートリッジの交換作業を後端側から簡単に行うことができ、また生産コストも安価なものとすることができる等の利点もある。更には、尾冠からカートリッジ取付部材の抜けを防止する抜け防止機能と、尾冠に対するカートリッジ取付部材の回転を防止する回転防止機能の双方を備えており、前記カートリッジ取付部材がしっかりと固定された状態を保持され、筆記具として優れた使い勝手を発揮するという利点もある。
【符号の説明】
【００３６】
１  軸筒本体
１ａ  キャップ
２  尾冠
２ａ  周壁端部
２ｂ  ガイド用脚部
２ｃ  脚部基部
３  カートリッジ取付部材
３ａ  嵌合保持部
３ｂ  第１係止突起
３ｃ  後端側段差部
４  カートリッジ
４ａ  ペン先
５  孔通路
５ａ  案内溝
６  第１凹部
６ａ  凸部
７  第２係止突起
８  第３係止突起
９  突片部
１０  第４係止突起
１１  第２凹部
１２  凸条
１３  傾斜面
【図１】
0006405774.tif 000002
【図２】
0006405774.tif 000003
【図３】
0006405774.tif 000004
【図４】
0006405774.tif 000005
【図５】
0006405774.tif 000006
【図６】
0006405774.tif 000007
【図７】
0006405774.tif 000008
【図８】
0006405774.tif 000009
【図９】
0006405774.tif 000010
【図１０】
0006405774.tif 000011
【図１１】
0006405774.tif 000012
【図１２】
0006405774.tif 000013
【図１３】
0006405774.tif 000014
【図１４】
0006405774.tif 000015
【図１５】
0006405774.tif 000016
【図１６】
0006405774.tif 000017
【図１７】
0006405774.tif 000018
【図１８】
0006405774.tif 000019
【図１９】
0006405774.tif 000020
【図２０】
0006405774.tif 000021
【図２１】
0006405774.tif 000022
【図２２】
0006405774.tif 000023
【図２３】
0006405774.tif 000024
【図２４】
0006405774.tif 000025